(57)【要約】【課題】    他の薬との組合せや患者の病名に応じて、薬品に対する最適な注意書きを記載するための技術が求められていた。【解決手段】コンピュータを、利用者からの処方情報を受信する処方情報受信手段と、前記処方情報受信手段において受信した処方情報に含まれる複数の薬品の組み合わせ情報に基づき、薬品の組み合わせに対するコメント情報を格納した薬品コメントテーブルを参照し、該当するコメント情報を抽出するコメント情報抽出手段と、薬品の名称とともに、前記コメント情報抽出手段において抽出されたコメント情報を備えた薬品情報リストを出力するリスト出力手段として動作させることを特徴とする。【選択図】  図１
2006350811.tif 000002
【特許請求の範囲】
【請求項１】
コンピュータを、
利用者からの処方情報を受信する処方情報受信手段と、
前記処方情報受信手段において受信した処方情報に含まれる複数の薬品の組み合わせ情報に基づき、薬品の組み合わせに対するコメント情報を格納した薬品コメントテーブルを参照し、該当するコメント情報を抽出するコメント情報抽出手段と、
薬品の名称とともに、前記コメント情報抽出手段において抽出されたコメント情報を備えた薬品情報リストを出力するリスト出力手段として動作させることを特徴とする薬品情報出力プログラム。
【請求項２】
薬品の組み合わせに対するコメント情報を格納した薬品コメントテーブルと、
利用者からの処方情報を受信する処方情報受信手段と、
前記処方情報受信手段において受信した処方情報に含まれる複数の薬品の組み合わせ情報に基づき、前記薬品コメントテーブルを参照し、該当するコメント情報を抽出するコメント情報抽出手段と、
薬品の名称とともに、前記コメント情報抽出手段において抽出されたコメント情報を備えた薬品情報リストを出力するリスト出力手段と、
を備えることを特徴とする薬品情報出力装置。
【請求項３】
コンピュータを、
利用者からの処方情報と病名情報とを受信する処方情報受信手段と、
前記処方情報受信手段において受信した処方情報に含まれる薬品と病名情報に含まれる病名との組み合わせ情報に基づき、薬品と病名との組み合わせに対するコメント情報を格納した薬品コメントテーブルを参照し、該当するコメント情報を抽出するコメント情報抽出手段と、
薬品の名称とともに、前記コメント情報抽出手段において抽出されたコメント情報を備えた薬品情報リストを出力するリスト出力手段として動作させることを特徴とする薬品情報出力プログラム。
【発明の詳細な説明】
【技術分野】
【０００１】
本発明は、電子カルテシステム等の診療支援システムにおいて出力される薬品情報の出力を行うプログラム、装置、及び薬品情報の作成を行う方法に関する。特に、薬品情報に含まれるコメントを動的に変更することにより、その内容を患者にわかり易くすることを目的とする。
【背景技術】
【０００２】
近年、医療機関においては、薬品を処方した際に、当該薬品の用法や注意事項を記した薬品情報を患者に渡すことが一般的となっている。
【０００３】
例えば、下記の特許文献１には、患者に処方された薬剤の名前、薬の写真、薬の働き、用法、注意書き、当該薬剤の体内における作用図等を備えた薬剤情報（本発明の薬品情報に相当）を出力するための薬剤情報提供システムが説明されている。
【特許文献１】特開２００３−２２３５１１号公報
【発明の開示】
【発明が解決しようとする課題】
【０００４】
上述の特許文献１の技術では、薬剤情報の項目として、薬品の注意書きを備えるように説明されている。これは、患者に対するサービスとして当該薬品の効能や注意事項等を記したものであり、各薬品に対して一意の注意書きが薬品DB等の記憶手段に記憶されることで実現可能である。
【０００５】
ところで、薬品によっては、本来の用法とは異なる目的で処方されるケースがある。例えば、皮膚炎の患者に対して、他の薬品の影響に鑑みて胃の調子を整えることを目的に、胃の病気のための薬品を処方することがある。このような場合、当該胃の病気のための薬品の注意書きには“胃の病気のための薬です”等と書かれることとなるが、これを見た患者は、自分が胃の病気ではないのに何故そのような薬が処方されたのかと疑問に思ってしまう。その為、画一的な注意書きではなく、他の薬との組合せや患者の病名に応じて、最適な注意書きを記載するための技術が求められていた。
【課題を解決するための手段】
【０００６】
本発明に関わる薬品情報出力プログラムは、コンピュータを、利用者からの処方情報を受信する処方情報受信手段と、前記処方情報受信手段において受信した処方情報に含まれる複数の薬品の組み合わせ情報に基づき、薬品の組み合わせに対するコメント情報を格納した薬品コメントテーブルを参照し、該当するコメント情報を抽出するコメント情報抽出手段と、薬品の名称とともに、前記コメント情報抽出手段において抽出されたコメント情報を備えた薬品情報リストを出力するリスト出力手段として動作させることを特徴とする。
【０００７】
また、本発明に関わる薬品情報出力装置は、薬品の組み合わせに対するコメント情報を格納した薬品コメントテーブルと、利用者からの処方情報を受信する処方情報受信手段と、前記処方情報受信手段において受信した処方情報に含まれる複数の薬品の組み合わせ情報に基づき、前記薬品コメントテーブルを参照し、該当するコメント情報を抽出するコメント情報抽出手段と、薬品の名称とともに、前記コメント情報抽出手段において抽出されたコメント情報を備えた薬品情報リストを出力するリスト出力手段と、を備えることを特徴とする。
【０００８】
更に、本発明に関わる薬品情報出力プログラムは、コンピュータを、利用者からの処方情報と病名情報とを受信する処方情報受信手段と、前記処方情報受信手段において受信した処方情報に含まれる薬品と病名情報に含まれる病名との組み合わせ情報に基づき、薬品と病名との組み合わせに対するコメント情報を格納した薬品コメントテーブルを参照し、該当するコメント情報を抽出するコメント情報抽出手段と、薬品の名称とともに、前記コメント情報抽出手段において抽出されたコメント情報を備えた薬品情報リストを出力するリスト出力手段として動作させることを特徴とする。
【発明の効果】
【０００９】
上述のように、本発明は、患者に処方された薬品の組み合わせに応じて薬品情報に出力するコメントを変更するように構成したため、患者にわかり易く最適化された薬品情報の提供を可能とする。
【００１０】
また、本発明は、患者に処方された薬品と当該患者の病名との組み合わせに応じて薬品情報に出力するコメントを変更するように構成したため、患者にわかり易く最適化された薬品情報の提供を可能とする。
【発明を実施するための最良の形態】
【００１１】
本発明の実施の形態に係るシステム概要について図1を用いて説明する。図１は、医療機関内に備えられる診療支援装置を模式的に示したシステム構成図である。医療機関内には、サーバ装置１２０と、クライアント端末１００とが、ＬＡＮ等のネットワーク１１０を介して接続されている。なお、図１においては、クライアント端末１００は一台しか記載されていない。通常は複数のクライアント端末１００がネットワークで接続されているものであるが、本実施の形態において、各クライアント端末１００のシステム構成は概ね同一であるため、説明の便宜のため一台のみの記載とするものである。
【００１２】
サーバ装置１２０は、ＯＳ１２１によって制御されており、このＯＳ１２１の上で診療支援サーバシステム１３０が動作する。当該診療支援サーバシステム１３０は、利用者の診療情報入力を支援するための様々なプログラムから構成されているが、主に、利用者からの処方情報等を受け付ける処方情報受信プログラム１３１、薬品コメントテーブル１４０から最適なコメントを抽出するコメント情報抽出プログラム１３２、薬品情報の編集や出力を行うリスト出力プログラム１３３、とが含まれる。これらのプログラムは、サーバ装置１２０の図示せぬ外部記憶装置に格納されており、各プログラム実行時に内部記憶装置に読み出される。また、当該診療支援サーバシステム１３０には、薬品コメントを格納する薬品コメントテーブル１４０、とが含まれ、必要に応じて、処方情報受信プログラム１３１、コメント情報抽出プログラム１３２、リスト出力プログラム１３３、とから参照または更新される。
【００１３】
また、サーバ装置１２０は、利用者に各種の情報を提示するための表示装置（図示せず）の制御を行う表示制御部１２２、利用者からの情報の入力制御を行う入力制御部１２３、クライアント端末１００との通信制御を行う通信制御部１２４と、を備える。
【００１４】
当該サーバ装置１２０とネットワーク１１０を介して接続されるクライアント端末１００は、ＯＳ１０３によって制御されており、このＯＳ１０３の上で診療支援クライアントシステムが動作する。当該クライアント端末１００は、例えばパーソナルコンピュータである。また、診療支援クライアントシステム１０１は主にブラウジングプログラム１０２であって、診療支援サーバシステム１３０に対する入力と診療支援サーバシステム１３０からの情報の出力を行うものである。
【００１５】
また、クライアント端末１００は、利用者に各種の情報を提示するための表示装置（図示せず）の制御を行う表示制御部１０４、利用者からの情報の入力制御を行う入力制御部１０５、サーバ装置１２０との通信制御を行う通信制御部１０６と、を備える。更に、薬品情報を印刷するためのプリンタ装置（図示せず）をも備える。
【００１６】
次に、本発明の一実施の形態に係る処理概要について、図２を用いて説明する。
【００１７】
まず、利用者がクライアント端末１００の診療支援クライアントシステム１０１から診療支援サーバシステム１３０にログイン処理を行う（Ｓ２０１）。診療支援サーバシステム１３０の表示プログラム１３４は、一般的な利用者認証手続による利用者認証を行った後、患者検索画面をクライアント端末１００に表示させる（Ｓ２０２）。
【００１８】
この患者検索画面について、患者検索画面３０１を用いて詳細に説明する。患者検索画面３０１は、ヘッダ部、ボディ部、とから構成されている。ヘッダ部には、画面の名称とともに、業務終了ボタンを備える。ボディ部には、患者を検索する際の検索キー入力領域、検索ボタン、検索結果を一覧表示する領域、とを備える。
【００１９】
この患者検索画面において、利用者が業務を終了する際は、ヘッダ部に備えられた業務終了ボタンを押下する。診療支援サーバシステムは、業務終了ボタンの押下を受け付けた場合は、業務を終了する（Ｓ２０３）。それ以外の操作を受け付けた場合は、Ｓ２０４の患者検索処理を実行する。具体的には、患者検索画面３０１の検索キー入力領域への患者氏名を検索するための検索キーの入力とともに、検索ボタンの押下を受け付ける。そして、図示せぬ患者データを検索し、該当する患者の情報を抽出して、表示プログラム１３４が患者検索画面３０１の一覧表示領域に表示する。
【００２０】
次に、患者検索画面３０１の一覧表示領域から利用者が一人の患者を選択したことを受けて、当該患者のカルテ情報を表示するカルテ画面を表示プログラム１３４が表示する（Ｓ２０５）。
【００２１】
このカルテ編集画面について、図４のカルテ編集画面４０１を用いて詳細に説明する。カルテ編集画面４０１は、ヘッダ部、ボディ部、とから構成されている。ヘッダ部は、患者氏名と、本発明の特徴である薬品情報を出力するための薬品情報ボタンと、入力された診療情報を保存終了する際に押下される保存ボタンと、入力された診療情報を保存せずに終了する際に押下される取消ボタンと、を備える。また、ボディ部は、過去の処置や処方等のオーダ情報等の履歴情報を表示する歴欄を左側に、オーダ情報を入力する処置・処方欄を右側に備える。
【００２２】
図４のカルテ編集画面４０１は、利用者が山田太郎のカルテ編集画面を開き、病名及び処方オーダを入力したものである。利用者は、このカルテ編集画面４０１を用いて、診療情報の編集を行う（Ｓ２０６）。そして、患者の診療情報の編集が完了し、利用者によってカルテ編集画面４０１の保存ボタン若しくは取消ボタンが押下されると、保存ボタンが押下された場合であれば編集した内容を保存し、取消ボタンが押下された場合であれば編集した内容を保存せずに、Ｓ２０２に戻り、患者検索画面を再度表示する。
【００２３】
次に、Ｓ２０６のカルテ編集処理について、図５のフローを用いて詳細に説明する。まず、診療支援サーバシステム１３０は、利用者の操作を受け付ける。以後は、一例として、患者の病名入力と処方オーダ入力が行われる場合を説明する。まず、処方情報受信プログラム１３１が、利用者からの病名入力を受信する（Ｓ５０１）。例えば、処置・処方欄において利用者からの所定の操作を受け付けることで病名検索画面を表示し、当該病名検索画面を用いて利用者が指定した病名を受け付ける。カルテ編集画面４０１では、“風邪”という病名を受信したことを示している。
【００２４】
続いて、処方情報受信プログラム１３１が、利用者からの処方入力を受信する（Ｓ５０２）。例えば、処置・処方欄において利用者からの所定の操作を受け付けることで薬品検索画面を表示し、当該薬品検索画面を用いて利用者が指定した薬品と用法とを受け付ける。カルテ編集画面４０１では、“ＰＬ顆粒３ｇ”等の薬品と、それぞれの薬品の用法とを受信したことを示している。
【００２５】
次に、利用者がカルテ編集画面４０１のヘッダに備えられた薬品情報ボタンを押下することで、診療支援サーバシステム１３０は、患者に渡す薬品情報の出力処理を実行する（Ｓ５０３）。
【００２６】
この薬品情報出力処理について、図６のフローを用いて詳細に説明する。なお、本実施の形態においては、当該薬品情報出力処理として二つの形態を説明する。図６のフローは、第一の実施形態を説明するものである。
【００２７】
まず、コメント情報抽出プログラム１３２が、利用者から処置・処方欄に入力された薬品名をキーとして、薬品コメントテーブル１４０を検索する（Ｓ６０１）。この薬品コメントテーブル１４０を、図７の薬品コメントテーブル７０１に例示する。薬品コメントテーブル７０１は、薬品に対するコメントを格納したテーブルであって、薬品名、当該薬品名と組み合わせる組み合わせ薬品名、当該薬品と組み合わせる病名、当該薬品に対するコメント、とから構成されている。例えば、ＰＬ顆粒を薬品情報に出力する場合であれば、ＰＬ顆粒のレコードに格納されているコメントを使用する。また、ゲファニールに関するレコードが２つ存在しているが、この２レコードの違いは、組み合わせ薬品名が設定されているか否かの違いである。即ち、通常であれば組み合わせ薬品名が設定されていないほうのレコードのコメントを使用するのだが、ゲファニールと同時にロキソニンも処方されていた場合に限り、組み合わせ薬品名にロキソニンが設定されているほうのレコードのコメントを使用するものである。より具体的には、ゲファニールは通常胃潰瘍等の胃の病気に用いられるものであり、一般的には“胃酸に対する抵抗力を高め、胃炎や胃潰瘍の治りをよくします”というコメントを出力する。しかし、それ以外にも、風邪の患者に対してロキソニンのような比較的強い薬品を処方する際に、このロキソニンによる胃への影響を押さえるために、ゲファニールを処方するケースがある。このような時に、上述のようなコメントを出力すると、患者は自分が胃の病気ではないのに何故そのような薬品を処方されたのかという疑問を抱いてしまう。このような問題を回避すべく、ロキソニンと組み合わせた場合には“胃の粘膜を丈夫にし、ロキソニンによる胃の荒れを予防します”という本来の目的を明確にしたコメントを出力するのが望ましいのである。
【００２８】
更に、ツムラ漢方薬６１に関するレコードも２つ存在しているが、この２レコードの違いは、設定されている病名の違いである。即ち、当該薬品の場合は、患者の病名に適したコメントを選択して出力するように構成されているものである。より具体的には、ツムラ漢方薬６１は、様々な病気の症状に対して処方されるものであって、一般的なコメントを設定することが困難である。そのため、それぞれの病名に適したコメントを設定するものである。
【００２９】
Ｓ６０１ではこの薬品コメントテーブル７０１を検索するが、具体的には、カルテ編集画面４０１の処置・処方欄に入力された薬品名であるＰＬ顆粒、ロキソニン、ゲファニールをキーとして当該検索を行う。そして、当該検索の結果取得したコメントを、各薬品名とともに図示せぬメモリ領域内のｗｏｒｋ領域に退避する。当該ｗｏｒｋ領域に退避される情報を、図８のｗｏｒｋ領域８０１に例示する。この段階では、各薬品に対する一般的なコメントが設定されている状態である。
【００３０】
Ｓ６０１からＳ６０２の処理をカルテ編集画面４０１の処置・処方欄に入力された薬品名に対して実行し、全ての薬品に対して当該処理が完了したら、Ｓ６０４へ進む（Ｓ６０３）。Ｓ６０４では、薬品単独ではなく、薬品の組合せを用いて薬品コメントテーブル７０１の検索を行う。具体的には、ＰＬ顆粒とロキソニン、ＰＬ顆粒とゲファニール、ロキソニンとＰＬ顆粒、ロキソニンとゲファニール、ゲファニールとＰＬ顆粒、ゲファニールとロキソニンという全ての組み合わせを用いて検索を行う。まず、ＰＬ顆粒とロキソニンの組み合わせをキーとして薬品コメントテーブル７０１の検索を行うと、該当するレコード、即ち薬品名にＰＬ顆粒が設定されていて、かつ組み合わせ薬品名にロキソニンが設定されているレコードが存在するか否かが判断される（Ｓ６０５）。この場合は該当するレコードが存在しないため、Ｓ６０７に進む。そして、上記全ての組み合わせに対する検索を繰り返す（Ｓ６０７）。そして、ゲファニールとロキソニンの組み合わせに対する検索を行うと、該当する組み合わせ、即ち、薬品名にゲファニールが設定されていて、かつ組み合わせ薬品名にロキソニンが設定されているレコードが存在するため、Ｓ６０５の判定がＹＥＳとなり、Ｓ６０６に進む。そして、当該コメントを用いてｗｏｒｋ領域の該当するレコードを更新する（Ｓ６０６）。具体的には、ｗｏｒｋ領域８０１におけるゲファニールのコメントを、ｗｏｒｋ領域８０２のようにゲファニールとロキソニンを同時に処方する際に出力するコメントに更新する。
【００３１】
上述の全ての組み合わせに対する検索が完了したら、リスト出力プログラム１３３が、ｗｏｒｋ領域８０２の情報を用いて図示せぬメモリ上に薬品情報を作成する（Ｓ６０８）。この薬品情報のイメージを図９に例示する。薬品情報９０１は、カルテ編集画面４０１の処置・処方欄に入力された薬品名と飲み方、ｗｏｒｋ領域８０２で編集されたコメントである“期待する効果”から構成される。そして、当該薬品情報の印刷を行う（Ｓ６０９）。利用者は、当該薬品情報を患者に渡し、必要に応じて用法等の説明を行うこととなる。
【００３２】
薬品情報の印刷が完了すると、利用者からカルテ編集画面に備えられた保存ボタン若しくは取消ボタンの押下を受け付ける。保存ボタンが押下された場合は、それまでにカルテ編集画面４０１の処置・処方欄に入力された病名や処方オーダを図示せぬオーダファイル等に格納する（Ｓ５０４）。そして、次に患者の入力を行うべく、患者検索画面３０１を表示する。一方、取消ボタンが押下された場合は、病名や処方オーダの格納は行わない。
【００３３】
このようにして、利用者が特別な操作を行うことなしに、薬の組み合わせに基づく最適なコメントを出力することが可能となるのである。
【００３４】
ところで、薬品情報出力処理（Ｓ５０３）について図５のフローを用いて、薬品の組み合わせに基づいてコメントを抽出する実施形態を説明したが、次に、第二の実施形態として、図１０及び図１１を用いて薬品と病名の組み合わせに基づいてコメントを抽出する形態を説明する。まず、カルテ編集画面において、図１０のように、病名として更年期障害、処方オーダとしてツムラ漢方薬６１が入力されたものとする。この状態で薬品情報出力処理が起動されると、図１１のフローに示す処理が実行される。
【００３５】
まず、Ｓ１００１では、薬品名と病名との組み合わせ情報に基づき、薬品コメントテーブル７０１の検索を行う。具体的には、ツムラ漢方薬６１と更年期障害という組み合わせを用いて検索を行う。その結果、“更年期障害の症状を改善します”という病名に適したコメントを取得することとなる。コメント情報抽出プログラム１３２は、このコメントを、薬品名とともに図示せぬメモリ領域内のｗｏｒｋ領域に退避する（Ｓ１１０２）。そして、カルテ編集画面４０１の処置・処方欄に入力された全ての薬品名に対して処理が完了したか否かが判断される（Ｓ１１０３）。この場合は、薬品は一つしか入力されておらず、未処理の薬品は存在しないため、Ｓ１１０３の判定はＮＯとなり、Ｓ１１０４に進む。そして、ｗｏｒｋ領域の情報を用いて、図示せぬメモリ上に薬品情報を作成する（Ｓ１１０４）。その後、当該薬品情報の印刷を行う（Ｓ１１０５）。
【００３６】
このようにして、利用者が特別な操作を行うことなしに、薬と病名との組み合わせに基づく最適なコメントを出力することが可能となるのである。
【００３７】
ところで、上述の説明では、電子カルテシステムやオーダリングシステム等の診療支援システムにおいて薬品情報を作成する例を説明したが、本発明はこのようなシステムでの利用に限定されるものではない。例えば、診療支援システムでは単にオーダの入力のみを行い、この情報を薬剤部の調剤支援システムに転送し、当該調剤支援システムにおいて薬品情報を作成することも考えられる。
【００３８】
このような場合のシステム構成を、図１２に例示する。なお、図中の番号については、図１と同じものには図１と同じ番号を付している。これまでの説明において、処方情報受信プログラム１３１、コメント情報抽出プログラム１３２、リスト出力プログラム１３３、薬品コメントテーブル１４０がサーバ装置１２０の診療支援サーバシステム１３０に備えられていることとして説明したが、図１２のシステム構成においては、それらのプログラム及びテーブルはサーバ装置１５０の調剤支援システム１６０に備えられる。図１２の処方情報受信プログラム１６１、コメント情報抽出プログラム１６２、リスト出力プログラム１６３、薬品コメントテーブル１７０がこれに相当する。そして、調剤支援システム１６０の処方情報受信プログラム１６１が診療支援サーバシステム１３０から処方オーダ情報を受信すると、当該処方オーダ情報を用いて、薬品情報出力処理（図６若しくは図１１のフロー）が実行される。即ち、コメント情報抽出プログラム１６２が処方情報受信プログラムが受信した処方オーダ情報を用いて薬品コメントテーブル１７０を検索し、リスト出力プログラム１６３が薬品情報を出力するものである。
【００３９】
なお、サーバ装置１５０は、ＯＳ１５１によって制御されており、このＯＳ１５１の上で調剤支援システム１６０が動作する。また、サーバ装置１５０は、利用者に各種の情報を提示するための表示装置（図示せず）の制御を行う表示制御部１５２、利用者からの情報の入力制御を行う入力制御部１５３、クライアント端末１００との通信制御を行う通信制御部１５４と、を備える。この場合のクライアント端末１００は、図１のクライアント端末と同一であっても構わないが、望ましくは薬剤部に備えられている調剤支援システム用のクライアント端末であるほうがよい。そして、当該クライアント端末１００は、薬品情報を印刷するためのプリンタ装置（図示せず）を備える。
【００４０】
本実施の形態においては、一般的なクライアントサーバシステムの例として説明したが、本発明は上述のシステム構成に限定するものではない。例えば、各データを診療支援サーバシステム１３０で保持するように説明したが、これらのデータを各クライアント端末の診療支援クライアントシステム１０１で保持するようにしても同様に動作するものである。また、小規模な医療機関においてはパーソナルコンピュータ単体でのシステムも考えられる。その場合は、診療支援サーバシステムに備えられていた各プログラム、各データを診療支援クライアントシステム内に備えることで、同様な仕組みを実現することが可能となる。
【００４１】
また、本実施の形態において説明した各プログラムは、ＣＤ−ＲＯＭ等の記録媒体に格納することで、配布可能となり、このような記録媒体を用いてコンピュータに当該プログラムをインストールすることで、上述のような処理が可能となるものである。
【００４２】
更に、診療支援サーバシステム１３０は、必ずしも医療機関内にある必要はなく、例えば、ＡＳＰ（Application Service Provider）内のサーバに格納しておき、各医療機関にある診療支援クライアントシステムからのアクセスに応じてサービスを提供する形態も考えられる。このような場合は、当該ＡＳＰ事業者のサーバが本発明の診療情報入力支援方法を実施することで上述のような処理が可能となるものである。なお、この診療情報入力支援方法においては、薬品情報の印刷を行うのは各医療機関にある診療支援クライアントシステム等であるため、当該印刷を行うためのイメージを作成するまでを当該ＡＳＰ事業者のサーバが行うこととなる。
【００４３】
以上の実施形態に関し、更に以下の付記を開示する。
【００４４】
（付記１）
コンピュータを、
利用者からの処方情報を受信する処方情報受信手段と、
前記処方情報受信手段において受信した処方情報に含まれる複数の薬品の組み合わせ情報に基づき、薬品の組み合わせに対するコメント情報を格納した薬品コメントテーブルを参照し、該当するコメント情報を抽出するコメント情報抽出手段と、
薬品の名称とともに、前記コメント情報抽出手段において抽出されたコメント情報を備えた薬品情報リストを出力するリスト出力手段として動作させることを特徴とする薬品情報出力プログラム。
【００４５】
（付記２）
薬品の組み合わせに対するコメント情報を格納した薬品コメントテーブルと、
利用者からの処方情報を受信する処方情報受信手段と、
前記処方情報受信手段において受信した処方情報に含まれる複数の薬品の組み合わせ情報に基づき、前記薬品コメントテーブルを参照し、該当するコメント情報を抽出するコメント情報抽出手段と、
薬品の名称とともに、前記コメント情報抽出手段において抽出されたコメント情報を備えた薬品情報リストを出力するリスト出力手段と、
を備えることを特徴とする薬品情報出力装置。
【００４６】
（付記３）
患者に関する薬品情報を作成するサーバによる薬品情報作成方法であって、
利用者からの処方情報を受信する処方情報受信ステップと、
前記処方情報受信ステップにおいて受信した処方情報に含まれる複数の薬品の組み合わせ情報に基づき、薬品の組み合わせに対するコメント情報を格納した薬品コメントテーブルを参照し、該当するコメント情報を抽出するコメント情報抽出ステップと、
薬品の名称とともに、前記コメント情報抽出ステップにおいて抽出されたコメント情報を備えた薬品情報リストを作成するリスト作成ステップと、
を含むことを特徴とする薬品情報作成方法。
【００４７】
（付記４）
コンピュータを、
利用者からの処方情報と病名情報とを受信する処方情報受信手段と、
前記処方情報受信手段において受信した処方情報に含まれる薬品と病名情報に含まれる病名との組み合わせ情報に基づき、薬品と病名との組み合わせに対するコメント情報を格納した薬品コメントテーブルを参照し、該当するコメント情報を抽出するコメント情報抽出手段と、
薬品の名称とともに、前記コメント情報抽出手段において抽出されたコメント情報を備えた薬品情報リストを出力するリスト出力手段として動作させることを特徴とする薬品情報出力プログラム。
【図面の簡単な説明】
【００４８】
【図１】実施の形態のシステム構成図である。
【図２】実施の形態の処理フローである。
【図３】患者検索画面の一例を示す図である。
【図４】カルテ編集画面の一例を示す図である。
【図５】カルテ編集処理の流れを示すフローチャートである。
【図６】薬品情報出力処理（第一の実施形態）の流れを示すフローチャートである。
【図７】薬品コメントテーブルの一例を示す図である。
【図８】ｗｏｒｋ領域の一例を示す図である。
【図９】薬品情報の一例を示す図である。
【図１０】カルテ編集画面の一例を示す図である。
【図１１】薬品情報出力処理（第二の実施形態）の流れを示すフローチャートである。
【図１２】実施の形態のシステム構成図である。
【符号の説明】
【００４９】
１００  クライアント端末
１０１  診療支援クライアントシステム
１０２  ブラウジングプログラム
１０３  ＯＳ
１０４  表示制御部
１０５  入力制御部
１０６  通信制御部
１１０  ネットワーク
１２０  サーバ装置
１２１  ＯＳ
１２２  表示制御部
１２３  入力制御部
１２４  通信制御部
１３０  診療支援サーバシステム
１３１  処方情報受信プログラム
１３２  コメント情報抽出プログラム
１３３  リスト出力プログラム
１４０  薬品コメントテーブル
【図１】
2006350811.tif 000003
【図２】
2006350811.tif 000004
【図３】
2006350811.tif 000005
【図４】
2006350811.tif 000006
【図５】
2006350811.tif 000007
【図６】
2006350811.tif 000008
【図７】
2006350811.tif 000009
【図８】
2006350811.tif 000010
【図９】
2006350811.tif 000011
【図１０】
2006350811.tif 000012
【図１１】
2006350811.tif 000013
【図１２】
2006350811.tif 000014